(57)【要約】【課題】両面印刷を行う場合、用紙の第２面目に定着されたトナー像において光沢ムラの発生を防止することが可能な画像形成装置を提供する。【解決手段】用紙Ｓを加熱するサーマルヘッド７０と、用紙Ｓの第１面目にトナー像の定着処理が行われた後、第２面目にトナー像の定着処理が行われる前に、第１面目に定着されたトナー像の領域以外の領域を部分的に予め加熱するようにサーマルヘッド７０を制御する制御部８０とを備えることにより、第２面目にトナー像が定着される前に、第１面目においてトナー像が定着された領域と定着されていない領域との間における用紙温度の差（つまり、光沢度の差）がなくなるようにする。【選択図】図４
2013092553.tif 000002
【特許請求の範囲】
【請求項１】
用紙の両面に画像形成可能な画像形成装置であって、
前記用紙を加熱する加熱部と、
前記用紙のいずれか一方の面にトナー像の定着処理が行われた後、他方の面にトナー像の定着処理が行われる前に、前記一方の面に定着されたトナー像の領域以外の領域を予め加熱するように前記加熱部を制御する制御部と、
を備えた画像形成装置。
【請求項２】
前記加熱部は、前記用紙の幅方向に配列された複数の発熱体を有するサーマルヘッドである請求項１に記載の画像形成装置。
【請求項３】
前記制御部は、前記用紙の熱容量に基づいて、前記用紙を加熱する際の供給熱量を決定する請求項１または２の何れか１項に記載の画像形成装置。
【請求項４】
前記制御部は、前記他方の面を加熱するように前記加熱部を制御する請求項１〜３の何れか１項に記載の画像形成装置。
【請求項５】
前記制御部は、前記他方の面にトナー像が形成される前に加熱するように前記加熱部を制御する請求項１〜４の何れか１項に記載の画像形成装置。
【請求項６】
前記制御部は、前記一方の面に定着されたトナー像の領域以外の領域のうち、前記他方の面にトナー像が定着される領域のみを加熱するように前記加熱部を制御する請求項１〜５の何れか１項に記載の画像形成装置。
【発明の詳細な説明】
【技術分野】
【０００１】
本発明は、電子写真プロセスにより形成された画像における光沢ムラの発生を防止する画像形成装置に関する。
【背景技術】
【０００２】
一般に、電子写真プロセスにより画像を形成する画像形成装置では、像担持体（感光ドラム等）の表面が所定の電位に帯電され、これに画像露光が施されて静電潜像が形成される。この静電潜像が現像手段により現像剤（トナー）を用いて現像され、トナー像として可視化される。得られたトナー像は感光ドラムに搬送された用紙に転写される。トナー像は、定着装置により加熱定着され、用紙上に画像が形成される。画像形成装置の一機能として、用紙の表裏両面に画像を形成する両面印刷機能がある。
【０００３】
一方、トナー像転写直後の用紙の定着処理に先だって、予め所定の温度にまで加熱する（いわゆる予備加熱する）ことにより、熱容量の比較的小さな熱ローラによってもトナー像を定着できるようにした画像形成装置が提案されている（例えば、特許文献１を参照）。この特許文献１に記載の技術では、転写材の種類・サイズまたは光沢画像の要否等に応じて、予備加熱の条件を自由に選択できるようにしている。
【先行技術文献】
【特許文献】
【０００４】
【特許文献１】特開平９−１６０４０８号公報
【発明の概要】
【発明が解決しようとする課題】
【０００５】
ところで、両面印刷を行う場合、図１（ａ）に示すように、用紙の第１面目（いずれか一方の面）にトナー像を定着した後の用紙温度は、トナー像が形成されている画像領域２で高く（例えば、７０℃）、トナー像が形成されていない非画像領域１で低い（例えば、５０℃）。その理由は、画像領域２では、画像形成の際に供給される熱量が非画像領域１よりも大きいためである。このように画像領域２と非画像領域１との間において用紙温度の差がある状態で第２面目（いずれか他方の面）にトナー像を定着すると、図１（ｂ）に示すように、第１面目の画像領域２に対応する領域４の光沢が、第１面目の非画像領域１に対応する領域３に比べて用紙温度が高い分だけ高くなる。
【０００６】
ここで、光沢度とは、物の表面に当たった光（ＪＩＳ規格では入射角度７５度）が正反射した結果、人が目で物を見る際そのモノの明るさの程度を表す量（単位：°）である。図２は、第２面目にトナー像が定着される前の用紙温度と光沢度との関係を示す図である。図１の例を当てはめると、非画像領域１の用紙温度が５０℃である場合、光沢度は７３°になる。また、画像領域２の用紙温度が７０℃である場合、光沢度は７８°になる。一般的に、用紙の同一面内において、光沢度に概ね５°以上の差（光沢差）があると目視で光沢の差を認識することができる。図１の例では、光沢度に５°の差があるため、この状態で第２面目にトナー像を定着すると、光沢ムラ（光沢段差、以下同じ）が発生する。
【０００７】
以上のように、第１面目において画像領域２と非画像領域１との間に用紙温度の差がある状態で第２面目にトナー像を定着する場合、第２面目に定着されたトナー像において光沢ムラが発生する問題があった。
【０００８】
光沢ムラが発生する問題を改善する対策として、第１面目に画像形成した後、第２面目に画像を形成する前に用紙を冷却することが可能な用紙冷却機構を新たに設置することが考えられる。しかし、この対策では、設備コストが向上し、用紙全体で冷却効果を均一に得るために機構が大型化・複雑化するといった別の問題が生じる。
【０００９】
また、別の対策として、第１面目に画像形成した後、第２面目に画像を形成する前に充分な冷却時間を設けることが考えられる。しかし、この対策では、両面印刷が終了するまでに長い時間がかかってしまう（つまり、印刷速度の低下が発生する）といった別の問題が生じるおそれがある。この問題は、特に、印刷の高速性が要求されるプロダクションプリント（軽印刷）市場においては避けなければならない。
【００１０】
本発明は、両面印刷を行う場合、用紙の第２面目（いずれか他方の面）に定着されたトナー像において光沢ムラの発生を防止することが可能な画像形成装置を提供することを目的とする。
【課題を解決するための手段】
【００１１】
本発明に係る画像形成装置は、用紙の両面に画像形成可能な画像形成装置であって、
前記用紙を加熱する加熱部と、
前記用紙のいずれか一方の面にトナー像の定着処理が行われた後、他方の面にトナー像の定着処理が行われる前に、前記一方の面に定着されたトナー像の領域以外の領域を予め加熱するように前記加熱部を制御する制御部とを備えている。
【発明の効果】
【００１２】
本発明によれば、両面印刷を行う場合、用紙の第２面目に定着されたトナー画像において光沢ムラが発生してしまう可能性を減らすことが可能な画像形成装置を提供することができる。
【図面の簡単な説明】
【００１３】
【図１】従来の両面印刷時における問題点を説明する図である。
【図２】用紙温度と光沢度との関係を示す図である。
【図３】本発明に係る実施の形態を示す画像形成装置の縦断面図である。
【図４】本発明に係る実施の形態を示す画像形成装置の制御ブロック図である。
【図５】用紙の種類に応じて必要な供給熱量の例を示す図である。
【図６】本発明に係る実施の形態を示す画像形成装置の動作例を説明するフローチャートである。
【発明を実施するための形態】
【００１４】
以下、本発明の実施の形態を図面に基づいて詳細に説明する。図３に示す画像形成装置５は、電子写真プロセス技術を利用した中間転写方式のカラー画像形成装置である。すなわち、画像形成装置５は、感光体上に形成されたＣ（シアン）、Ｍ（マゼンタ）、Ｙ（イエロー）、Ｋ（ブラック）の各色トナー像を中間転写体に転写（一次転写）し、中間転写体上で４色のトナー像を重ね合わせた後、用紙に転写（二次転写）することにより、画像を形成する。
【００１５】
また、画像形成装置５には、ＣＭＹＫの４色に対応する感光体を中間転写体の走行方向に直列配置し、中間転写体に一回の手順で各色トナー像を順次転写させるタンデム方式が採用されている。
【００１６】
図３に示すように、画像形成装置５は、画像読取部１０、操作表示部２０、画像処理部３０、画像形成部４０、搬送部５０、定着装置６０、加熱部として機能するサーマルヘッド７０、および制御部（図示せず）を備えている。
【００１７】
制御部は、ＣＰＵ（Ｃｅｎｔｒａｌ  Ｐｒｏｃｅｓｓｉｎｇ  Ｕｎｉｔ）等の演算装置を有しており、ＣＰＵで所定の制御プログラムを実行することにより、画像形成装置５の制御を行う。制御部は、操作表示部２０により入力されたジョブ情報に従って画像形成装置５の画像形成動作を制御する。
【００１８】
画像読取部１０は、ＡＤＦ（Auto  Document  Feeder）と称される自動原稿給紙装置１１および原稿画像走査装置（スキャナー）１２等を備えて構成される。自動原稿給紙装置１１は、原稿トレイに載置された原稿Ｄを搬送機構により搬送して原稿画像走査装置１２へ送り出す。自動原稿給紙装置１１は、原稿トレイに載置された多数枚の原稿Ｄの画像（両面を含む）を連続して一挙に読み取ることができる。
【００１９】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge  Coupled  Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２０】
操作表示部２０は、例えばタッチパネル付の液晶ディスプレイ（ＬＣＤ：Liquid  Crystal  Display）で構成され、表示部２１および操作部２２として機能する。表示部２１は、制御部から入力される表示制御信号に従って、各種操作画面、画像の状態表示、各機能の動作状況等の表示を行う。操作部２２に対しては、各種の指示および設定のための入力操作を行うことができる。これら指示・設定の情報は、ジョブ情報として制御部により扱われる。ジョブ情報としては、用紙サイズ、プリント枚数、両面印刷の指示等がある。
【００２１】
画像処理部３０は、入力画像データに対して、初期設定又はユーザー設定に応じたデジタル画像処理を行う回路等を備えている。例えば、画像処理部３０は、制御部の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２２】
画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、および中間転写ユニット４２等を備えている。
【００２３】
Ｙ成分、Ｍ成分、Ｃ成分、Ｋ成分用の画像形成ユニット４１Ｙ、４１Ｍ、４１Ｃ、４１Ｋは、同様の構成を有する。図示および説明の便宜上、共通する構成要素は同一の符号で示し、それぞれを区別する場合には符号にＹ、Ｍ、Ｃ、又はＫを添えて示すこととする。図３では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２４】
画像形成ユニット４１は、露光装置４１１、現像装置４１２、感光体ドラム４１３、帯電装置４１４およびドラムクリーニング装置４１５等を備えている。
【００２５】
感光体ドラム４１３は、例えばアルミニウム製の導電性円筒体（アルミ素管）の周面に、アンダーコート層（ＵＣＬ：Under  Coat  Layer）、電荷発生層（ＣＧＬ：Charge  Generation  Layer）、電荷輸送層（ＣＴＬ：Charge  Transport  Layer）を順次積層した負帯電型の有機感光体（ＯＰＣ：Organic  Photo-conductor）である。
【００２６】
帯電装置４１４は、光導電性を有する感光体ドラム４１３の表面を一様に負極性に帯電させる。露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成されることとなる。
【００２７】
現像装置４１２は、各色成分の現像剤（例えば、小粒径のトナーと磁性体とからなる二成分現像剤）を収容しており、感光体ドラム４１３の表面に各色成分のトナーを付着させることにより静電潜像を可視化してトナー像を形成する。ドラムクリーニング装置４１５は、感光体ドラム４１３の表面に摺接されるドラムクリーニングブレードを有する。一次転写後に感光体ドラム４１３の表面に残存する転写残トナーは、ドラムクリーニングブレードによって掻き取られ、除去される。
【００２８】
中間転写ユニット４２は、中間転写体となる中間転写ベルト４２１、一次転写ローラー４２２、二次転写ローラー４２３、駆動ローラー４２４、従動ローラー４２５およびベルトクリーニング装置４２６等を備えている。
【００２９】
中間転写ベルト４２１は無端状ベルトで構成され、駆動ローラー４２４および従動ローラー４２５に張架される。中間転写ベルト４２１は、駆動ローラー４２４の回転により矢印Ａ方向に一定速度で走行する。一次転写ローラー４２２によって、中間転写ベルト４２１が感光体ドラム４１３に圧接されると、中間転写ベルト４２１に各色トナー像が順次重ねて一次転写される。そして、中間転写ベルト４２１が二次転写ローラー４２３によって用紙Ｓに圧接されると、中間転写ベルト４２１に一次転写されたトナー像が用紙Ｓに二次転写される。
【００３０】
ベルトクリーニング装置４２６は、中間転写ベルト４２１の表面に摺接されるベルトクリーニングブレードを有する。二次転写後に中間転写ベルト４２１の表面に残存する転写残トナーは、ベルトクリーニングブレードによって掻き取られ、除去される。
【００３１】
定着装置６０は、搬送されてきた用紙Ｓをニップ部で加熱、加圧することにより、用紙Ｓにトナー像を定着させる。定着装置６０は、定着ユニット６１とエア分離ユニット６２とを備えて構成されるエア分離式の定着装置である。
【００３２】
搬送部５０は、給紙部５１、搬送機構５２および排紙部５３等を備えている。給紙部５１を構成する３つの給紙トレイユニット５１ａ〜５１ｃには、用紙の坪量やサイズ等に基づいて識別された用紙（規格用紙、特殊用紙）Ｓが予め設定された種類ごとに収容される。
【００３３】
給紙トレイユニット５１ａ〜５１ｃに収容されている用紙Ｓは、最上部から一枚ずつ送出され、レジストローラー５２ａ等の複数の搬送ローラーを備えた搬送機構５２により画像形成部４０に搬送される。このとき、レジストローラー５２ａが配設されたレジスト部により、給紙された用紙Ｓの傾きが補正されるとともに搬送タイミングが調整される。そして、画像形成部４０において、中間転写ベルト４２１のトナー像が用紙Ｓの一方の面に一括して二次転写され、定着装置６０において定着工程が施される。画像形成された用紙Ｓは、排紙ローラー５３ａを備えた排紙部５３により機外に排紙される。
【００３４】
搬送部５０には、用紙Ｓを画像形成部４０および定着装置６０を通過させ、画像形成装置５の排紙トレイ（図示せず）に排出する通常搬送路５０ａと、定着装置６０を通った用紙Ｓの表裏を反転させた後、画像形成部４０の上流で再び通常搬送路５０ａに合流させる反転搬送路５０ｂとが備えられている。
【００３５】
両面印刷時には、最初に通常搬送路５０ａを通る際に用紙Ｓの表面（第１面目）にトナー像が形成され、反転搬送路５０ｂを通過した後、再び通常搬送路５０ａを通る際に用紙Ｓの裏面（第２面目）にトナー像が形成されるようになっている。
【００３６】
サーマルヘッド７０は、反転搬送路５０ｂ上に配置され、用紙Ｓの幅方向（用紙Ｓの搬送方向と直交する方向）に直線状に配置された複数の発熱体を有する。複数の発熱体は、例えば３００［ｄｐｉ（ｄｏｔ  ｐｅｒ  ｉｎｃｈ）］の密度で配置される。サーマルヘッド７０は、制御部の制御を受けて、定着装置６０によりトナー像が第１面目に加熱定着された用紙Ｓを加熱する。
【００３７】
サーマルヘッド７０に対向する位置には、サーマルヘッド７０と圧接した状態で加圧ローラが配置されている。サーマルヘッド７０と加圧ローラとの圧接部にはニップ部が形成されている。このニップ部に導入された用紙Ｓ上のトナー像は、サーマルヘッド７０および加圧ローラにより熱および圧力が加えられる。
【００３８】
制御部は、用紙Ｓを加熱するようにサーマルヘッド７０を制御する。なお、制御部による具体的な制御動作については、図４を用いて後述する。
【００３９】
次に、図４を参照して、画像形成装置５の制御ブロック図について説明する。図４に示すように、画像形成装置５は、操作表示部２０、画像処理部３０、サーマルヘッド７０および制御部８０を備えて構成されている。
【００４０】
画像処理部３０は、操作表示部２０を介して両面印刷の指示が行われた場合、第１面目にトナー像を形成するための第１のディジタル画像データと、第２面目にトナー像を形成するための第２のディジタル画像データとを制御部８０に出力する。
【００４１】
操作表示部２０は、タッチパネル式の画面を介して両面印刷の指示が行われた場合、当該両面印刷の指示を含むジョブ情報を制御部８０に出力する。
【００４２】
制御部８０は、ＣＰＵ９０、ＲＯＭ（Ｒｅａｄ  Ｏｎｌｙ  Ｍｅｍｏｒｙ）９１、ＲＡＭ（Ｒａｎｄｏｍ  Ａｃｃｅｓｓ  Ｍｅｍｏｒｙ）９２およびサーマル駆動部９３を備えて構成されている。
【００４３】
ＲＯＭ９１は、ＣＰＵ９０により実行される各種プログラムを記憶する。ＲＡＭ９２は、揮発性のメモリであって、ＣＰＵ９０により実行される各種プログラムやこれら各種プログラムに係るデータ等を格納するワークエリアを有し、その情報を一時的に記憶する。
【００４４】
本実施の形態では、ＲＡＭ９２は、画像処理部３０から出力された第１のディジタル画像データおよび第２のディジタル画像データを記憶する。また、ＲＡＭ９２は、操作表示部２０から出力されたジョブ情報を記憶する。
【００４５】
ＣＰＵ９０は、ＲＯＭ９１に格納されているシステムプログラムおよび各種アプリケーションプログラムの中から指定されたプログラムを読み出してＲＡＭ９２に展開し、ＲＡＭ９２に展開されたプログラムとの協働で、各種処理を実行し、画像形成装置５の各部を制御する。
【００４６】
本実施の形態では、ＣＰＵ９０は、ＲＡＭ９２に記憶されている第１のディジタル画像データに基づいて、用紙Ｓの第１面目においてトナー像が形成される領域（以下、「第１のトナー領域」と称する）を特定する。また、ＣＰＵ９０は、ＲＡＭ９２に記憶されている第２のディジタル画像データに基づいて、用紙Ｓの第２面目においてトナー像が形成される領域（以下、「第２のトナー領域」と称する）を特定する。そして、ＣＰＵ９０は、用紙Ｓの第２面目において第２のトナー領域のうち、第１のトナー領域以外の領域を加熱するための制御信号を生成してサーマル駆動部９３に出力する。この場合、ＣＰＵ９０は、ＲＡＭ９２に記憶されているジョブ情報に含まれる用紙Ｓの種類に基づいて、用紙Ｓを加熱する際の供給熱量を決定し、当該決定した供給熱量を当該制御信号に含める。
【００４７】
図５は、用紙の種類に応じて、加熱の際に必要な供給熱量の例を示す図である。図５では、用紙の種類が、普通紙７０［ｇ／ｍ２］、普通紙１００［ｇ／ｍ２］、コート紙７０［ｇ／ｍ２］、コート紙１００［ｇ／ｍ２］の熱容量および供給熱量を、普通紙７０［ｇ／ｍ２］を１としたときの熱容量および供給熱量の比で表している。
【００４８】
図５に示すように、用紙の種類（例えば、紙の厚さまたは斤量など）によって熱容量が異なるため、同じ供給熱量で加熱した場合、用紙の種類に応じて加えられる光沢度に差が生じてしまう。そこで、本実施の形態では、用紙の種類に関係なく加えられる光沢度に差が生じないようにするため、用紙の種類（すなわち、熱容量）に応じて加熱の際に必要な供給熱量を決定している。
【００４９】
サーマル駆動部９３は、ＣＰＵ９０から制御信号が出力された場合、当該制御信号の内容に従って用紙Ｓの第２面目を加熱するようにサーマルヘッド７０を制御する。
【００５０】
次に、本実施の形態における画像形成装置５の動作について説明する。図６は、本実施の形態における画像形成装置５の動作例を示すフローチャートである。
【００５１】
まず、制御部８０のＣＰＵ９０は、ＲＡＭ９２に記憶されているジョブ情報を参照して、操作表示部２０を介して両面印刷の指示が行われたか否かについて判定する（ステップＳ１００）。もし、両面印刷の指示が行われていないとＣＰＵ９０にて判定した場合（ステップＳ１００にてＮＯ）、画像形成装置５は図６における処理を終了する。
【００５２】
一方、両面印刷の指示が行われたとＣＰＵ９０にて判定した場合（ステップＳ１００にてＹＥＳ）、ＣＰＵ９０は、ＲＡＭ９２に記憶されている第１のディジタル画像データに基づいて、用紙Ｓの第１面目においてトナー像が形成される第１のトナー領域を特定する（ステップＳ１２０）。次に、ＣＰＵ９０は、ＲＡＭ９２に記憶されている第２のディジタル画像データに基づいて、用紙Ｓの第２面目においてトナー像が形成される第２のトナー領域を特定する（ステップＳ１４０）。
【００５３】
次に、ＣＰＵ９０は、ＲＡＭ９２に記憶されているジョブ情報に含まれる用紙Ｓの種類（熱容量）に基づいて、用紙Ｓを加熱する際の供給熱量を決定する（ステップＳ１６０）。次に、ＣＰＵ９０は、反転搬送路５０ｂ上に配置されたサーマルヘッド７０を通過するタイミングになったか否かについて判定する（ステップＳ１８０）。もし、サーマルヘッド７０を通過するタイミングになっていないとＣＰＵ９０にて判定した場合（ステップＳ１８０にてＮＯ）、処理はステップＳ１８０に遷移する。
【００５４】
一方、サーマルヘッド７０を通過するタイミングになったとＣＰＵ９０にて判定した場合（ステップＳ１８０にてＹＥＳ）、ＣＰＵ９０は、用紙Ｓの第２面目において第２のトナー領域のうち、第１のトナー領域以外の領域をステップＳ１６０で決定した供給熱量で加熱するための制御信号を生成してサーマル駆動部９３に出力する（ステップＳ２００）。
【００５５】
最後に、サーマル駆動部９３は、ＣＰＵ９０から出力された制御信号を受けて、当該制御信号の内容に従って用紙Ｓの第２面目を加熱するようにサーマルヘッド７０を制御する（ステップＳ２２０）。ステップＳ２２０の処理が完了することによって、画像形成装置５は図６における処理を終了する。
【００５６】
以上詳しく説明したように、本実施の形態に係る画像形成装置５は、用紙Ｓを加熱するサーマルヘッド７０と、用紙Ｓの第１面目にトナー像の定着処理が行われた後、第２面目にトナー像の定着処理が行われる前に、第１面目に定着されたトナー像の領域以外の領域を部分的に予め加熱するようにサーマルヘッド７０を制御する制御部８０とを備えている。このように構成した本実施の形態によれば、両面印刷の指示が行われた場合、第２面目にトナー像が定着される前に、第１面目においてトナー像が定着された領域と定着されていない領域との間における用紙温度の差（つまり、光沢度の差）がなくなり、用紙Ｓの第２面目に定着されたトナー像において光沢ムラが発生しまう可能性を減らすことができる。
【００５７】
また、本実施の形態では、用紙Ｓを加熱する手段として、短い時間で加熱温度に達し、供給熱量の制御が高精度で行えるサーマルヘッド７０を採用している。これにより、所望の位置に必要な分だけ選択的に加熱する処理を高精度で行うことができる。
【００５８】
また、本実施の形態では、用紙Ｓの熱容量に基づいて、用紙Ｓを加熱する際の供給熱量を決定している。これにより、両面印刷の対象である用紙Ｓの種類（熱容量）が異なっても、第１面目においてトナー像が定着された領域と定着されていない領域との間における光沢度の差を確実になくすことができる。
【００５９】
また、本実施の形態では、用紙Ｓの第２面目を加熱するように制御している。これからトナー像が定着される第２面目においては、第１面目の影響を完全には受けないため、第１面目より用紙温度の差が生じていない。つまり、用紙Ｓの第１面目を加熱する場合に比べて、少ない供給熱量で第２面目における用紙温度の差（つまり、光沢度の差）を予めなくすことができる。
【００６０】
また、本実施の形態では、用紙Ｓの第２面目にトナー像が形成される前に、用紙Ｓを加熱するように制御している。これにより、用紙Ｓの第２面目にトナー像が形成された後に用紙Ｓを加熱する場合と比べて、未定着のトナー像が用紙Ｓに形成された状態で加熱することにより当該未定着のトナー像が乱れるという問題が発生しない分だけ、第２面目に定着されたトナー像の画像品質を良好にすることができる。
【００６１】
また、本実施の形態では、用紙Ｓにおいて第１面目に定着されたトナー像の領域（第１のトナー領域）以外の領域のうち第２面目にトナー像を定着される領域（第２のトナー領域）のみを加熱するように制御している。これにより、用紙Ｓの第２面目において光沢ムラが発生し得ない領域（トナー像を定着されない領域）に対してまで不要に加熱することを防止することができ、サーマルヘッド７０の駆動電力を減らすことができる。
【００６２】
なお、上記実施の形態では、用紙Ｓ上に定着されたトナー像を加熱する手段としてサーマルヘッド７０を用いる例について説明したが、本発明はこれに限定されない。要は、用紙Ｓの任意の領域を加熱するように制御可能な複数の発熱体を有するものであれば何でも良い。
【００６３】
また、上記実施の形態において、画像形成装置５は、自動原稿給紙装置１１からコンタクトガラス上に搬送された原稿又はコンタクトガラス上に載置された原稿に対応する入力画像データに基づいて用紙Ｓに画像を形成する例について説明したが、本発明はこれに限定されない。例えば、画像形成装置５は、図示しない通信部を介して、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信ネットワークに接続された外部の装置（例えばパーソナルコンピュータ）から送信された入力画像データを受信し、当該受信したデジタル画像データに基づいて用紙Ｓに画像を形成しても良い。
【００６４】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６５】
５  画像形成装置
７０  サーマルヘッド
８０  制御部
【図１】
2013092553.tif 000003
【図２】
2013092553.tif 000004
【図３】
2013092553.tif 000005
【図４】
2013092553.tif 000006
【図５】
2013092553.tif 000007
【図６】
2013092553.tif 000008